(57)【要約】【課題】被塗布部に塗布した内容物を塗り広げる際の操作性を改善した塗布容器を提供する。【解決手段】塗布容器１は、内容物が収容される容器体１６、および、容器体１６内に連通するとともに、塗布ボール２２が上端部から上方に突出した状態で上端部から上方に離脱不能に、かつ回転自在に嵌合された保持部２１、を有する容器本体１１と、容器本体１１を径方向外側から囲う保持部材４１と、保持部材４１に保持され、保持部材４１から上方に突出した塗布部５１と、を備える。【選択図】図１
2018140835.tif 000002
【特許請求の範囲】
【請求項１】
内容物が収容される容器体、および、前記容器体内に連通するとともに、塗布ボールが上端部から上方に突出した状態で前記上端部から上方に離脱不能に、かつ回転自在に嵌合された保持部、を有する容器本体と、
前記容器本体を径方向外側から囲う保持部材と、
前記保持部材に保持され、前記保持部材から上方に突出した塗布部と、
を備えることを特徴とする塗布容器。
【請求項２】
前記保持部材は、前記容器本体に対して上方移動可能に配設され、
前記保持部材が前記容器本体に対して上方に移動したときに、前記塗布部は前記塗布ボールよりも上方に位置することを特徴とする請求項１に記載の塗布容器。
【請求項３】
前記塗布部は、前記保持部を径方向外側から囲うことを特徴とする請求項１又は２に記載の塗布容器。
【発明の詳細な説明】
【技術分野】
【０００１】
本発明は、塗布容器に関する。
【背景技術】
【０００２】
従来、内容物が収容され口部が設けられた容器体と、この口部を覆うスポンジと、容器体の口部に螺合しスポンジを覆うキャップと、を備え、キャップには、塗布ボールを保持するボール保持部が形成された塗布容器が知られている（例えば、特許文献１参照）。塗布ボールは、スポンジを覆うキャップにおいて、スポンジよりも上方に位置する部分に配設されている。
【０００３】
このように構成された塗布容器では、まず、容器体からキャップが取り外されて外部に露呈したスポンジを下方に向けて被塗布部に押し当てることで、内容物を被塗布部に塗布する。次に、容器体にキャップを取り付け、塗布ボールを被塗布部上で転動させることで、スポンジから被塗布部に塗布した内容物を塗り広げる。
【０００４】
一方で、特許文献１には、容器体よりも下方に塗布ボールを配設した発明も記載されている。
このように構成された塗布容器では、まずスポンジを下方に向けて被塗布部に押し当てて内容物を被塗布部に塗布する。次に、塗布容器を上下反転するように持ち替えて、前述のように塗布ボールにより内容物を塗り広げる。
【先行技術文献】
【特許文献】
【０００５】
【特許文献１】実公昭５１−０３０１４７号公報
【発明の概要】
【発明が解決しようとする課題】
【０００６】
しかしながら、特許文献１に記載された塗布容器では、被塗布部に塗布した内容物を塗り広げるのに、容器体に対してキャップを着脱したり、塗布容器を上下反転させて持ち替えたりする操作が必要であり、操作性が悪い。
【０００７】
本発明は、このような問題点に鑑みてなされたものであって、被塗布部に塗布した内容物を塗り広げる際の操作性を改善した塗布容器を提供することを目的とする。
【課題を解決するための手段】
【０００８】
上記課題を解決するために、この発明は以下の手段を提案している。
本発明の塗布容器は、内容物が収容される容器体、および、前記容器体内に連通するとともに、塗布ボールが上端部から上方に突出した状態で前記上端部から上方に離脱不能に、かつ回転自在に嵌合された保持部、を有する容器本体と、前記容器本体を径方向外側から囲う保持部材と、前記保持部材に保持され、前記保持部材から上方に突出した塗布部と、を備えることを特徴としている。
【０００９】
この発明によれば、塗布ボールの上端部を下方に向けると、容器体内の内容物が保持部内に流入する。この状態で、塗布ボールの上端部を被塗布部に押し当てつつ塗布ボールを回転させることで、保持部内の内容物を塗布ボールの上端部に至らせ、被塗布部に塗布する。
この際、塗布ボールの上端部が保持部から突出する方向と、塗布部が保持部材から突出する方向と、がともに上方であるため、従来の塗布容器のように、容器体に対してキャップを着脱したり、塗布容器を上下反転させたりすることなく、持ち手の姿勢をほとんど変えずに、塗布部を被塗布部に接触させることができる。そして、被塗布部に塗布部を接触させた状態で、塗布容器を被塗布部に沿って移動させ、被塗布部に塗布した内容物を塗布部により被塗布部上で塗り広げる。
【００１０】
以上のように、塗布ボールにより内容物を被塗布部に塗布した後に、塗布容器の持ち手の姿勢をほとんど変えなくても、塗布部により被塗布部上の内容物を塗り広げることが可能になり、優れた操作性を具備させることができる。
【００１１】
また、上記の塗布容器において、前記保持部材は、前記容器本体に対して上方移動可能に配設され、前記保持部材が前記容器本体に対して上方に移動したときに、前記塗布部は前記塗布ボールよりも上方に位置してもよい。
この発明によれば、塗布ボールで被塗布部に塗布した内容物を塗布部により塗り広げる際に、塗布ボールが被塗布部、若しくは被塗布部の周辺の部材等に接触するのを抑えることが可能になり、操作性をより一層向上させることができるとともに、塗布ボールから内容物が意図せず、被塗布部、若しくは被塗布部の周辺の部材等に付着するのを防ぐことができる。
【００１２】
また、上記の塗布容器において、前記塗布部は、前記保持部を径方向外側から囲ってもよい。
この発明によれば、塗布ボールで被塗布部に塗布した内容物を塗り広げる際に、被塗布部に対する塗布部の周方向の位置を容易に合わせることが可能になり、より一層優れた操作性を具備させることができる。
【発明の効果】
【００１３】
本発明の塗布容器によれば、被塗布部に塗布した内容物を塗り広げる際の操作性を改善することができる。
【図面の簡単な説明】
【００１４】
【図１】本発明の一実施形態の塗布容器における容器本体の一部を除く半縦断面図である。
【図２】同塗布容器におけるキャップ体を取り外した状態の平面図である。
【図３】同塗布容器における接続部材の側面図である。
【図４】同塗布容器の動作を説明する、キャップ体を取り外した状態の容器本体の一部を除く半縦断面図である。
【図５】同塗布容器の動作を説明する、塗布部を上方に移動させた状態の容器本体の一部を除く半縦断面図である。
【発明を実施するための形態】
【００１５】
以下、本発明に係る塗布容器の一実施形態を、図１から図５を参照しながら説明する。
図１および図２に示すように、本実施形態の塗布容器１は、内容物が収容される容器体１６、および、容器体１６内に連通するとともに塗布ボール２２が嵌合された保持部２１、を有する容器本体１１と、容器本体１１に取り付けられた保持部材４１と、保持部材４１に保持された塗布部５１と、を備えている。
【００１６】
ここで、容器体１６は有底筒状に形成され、保持部２１、保持部材４１、および塗布部５１は筒状に形成されている。容器体１６、保持部２１、塗布ボール２２、保持部材４１、および塗布部５１それぞれの中心軸は、共通軸と同軸に配置されている。以下では、共通軸を容器軸Ｏといい、容器軸Ｏに沿う方向を上下方向という。上下方向のうち、塗布ボール２２側を上方といい、容器体１６の底部側を下方という。塗布容器１を上下方向から見て、容器軸Ｏに直交する方向を径方向といい、容器軸Ｏ回りに周回する方向を周方向という。
【００１７】
容器体１６は、口部１７、胴部１８、および底部１９が、上方から下方に向けてこの順に連設されている。
胴部１８の下端部の外周面には、全周にわたって連続して延びる環状溝１８ａが形成されている。
口部１７は、胴部１８の上端部から上方に向けて延び、胴部１８と同軸に配置されている。口部１７の外径は胴部１８の外径よりも小さく、口部１７と胴部１８との接続部分には、段差が形成されている。口部１７の外周面には、雄ねじが形成されている。
底部１９は、胴部１８の下端部に連設され、胴部１８の下端開口部を閉塞している。容器体１６には、例えば、液体ファンデーション等の化粧料が収容される。
なお、収容させる内容物は化粧料に限られず、例えば油や調味料等の食品や薬品、または部分洗い用の洗剤等の被塗布部に塗布される液体であってもよい。
【００１８】
保持部２１は、容器体１６の口部１７内に嵌合されたシール筒２４と、容器体１６の口部１７の上端開口縁に配置されて上方に向けて延びる上方保持筒２５と、シール筒２４の上端部と上方保持筒２５の下端部とを連結する連結筒２６と、外周縁部が連結筒２６の下端部に連結された下方保持部２７と、を備える。シール筒２４、上方保持筒２５、連結筒２６、および下方保持部２７は、容器軸Ｏと同軸に配置されている。
上方保持筒２５の内周面のうち、上部は、下方から上方に向かうに従い漸次縮径し、下部は、下方から上方に向かうに従い漸次、拡径した凹球面状に形成されている。
上方保持筒２５の内周面における上端部には、上方保持筒２５の内周面よりも塗布ボール２２側に向けて突出して、この塗布ボール２２の外面に上方から密に当接する押さえ部２５ａが形成されている。押さえ部２５ａは、例えば周方向の全周にわたって環状に形成されている。押さえ部２５ａは、突曲面状に形成されている。
【００１９】
連結筒２６の下端部は、シール筒２４の上端部から径方向内側に突出している。連結筒２６の内周面は、下方から上方に向かうに従い漸次、拡径した凹球面状に形成され、上方保持筒２５の内周面に段差なく連なっている。
つまり、上方保持筒２５の内周面および連結筒２６の内周面は、塗布ボール２２の外面に倣った球面状とされている。
下方保持部２７は、円板状に形成され、容器軸Ｏと同軸に配置されている。下方保持部２７には、上下方向に貫き、容器体１６の内部に連通する連通口２７ａが形成されている。連通口２７ａは、容器軸Ｏと同軸に配置されている。
下方保持部２７の上面における外周縁部には、上方に向けて突出して、下方から塗布ボール２２の外面に対して当接する突起部２７ｂが形成されている。突起部２７ｂは、塗布ボール２２を下方から支持する受けリブであり、例えば周方向の全周にわたって環状に形成されている。なお、この環状の突起部２７ｂには、突起部２７ｂを径方向に貫通する図示しない溝部が周方向に間隔を空けて形成されており、この溝部を通して内容物を流通可能とさせている。
【００２０】
なお、本実施形態では、保持部２１は容器体１６とは別体に構成されているが、保持部２１は容器体１６と一体に構成されていてもよい。
【００２１】
塗布ボール２２は、外面が滑らかな球体である。塗布ボール２２は、外径が上方保持筒２５の上端部の内径よりも大きくなっており、上方保持筒２５の上端部から上方に離脱不能とされた状態で、上方保持筒２５および連結筒２６それぞれの内側に一体に回転自在に嵌合されている。
具体的には、塗布ボール２２は、下方保持部２７の突起部２７ｂ上に配置された状態で、この突起部２７ｂと上方保持筒２５に形成された押さえ部２５ａとによって上下方向の両側から挟み込まれるように保持されている。この際、塗布ボール２２の中心は、容器軸Ｏ上に位置し、塗布ボール２２の一部は上方保持筒２５から上方に突出している。
【００２２】
図１および図３に示すように、本実施形態では、塗布容器１は、容器体１６に着脱可能に取り付けられた接続部材３１を備えている。
接続部材３１は、容器軸Ｏと同軸に配設され容器体１６の胴部１８に外嵌された内筒部３２と、内筒部３２の上端部から径方向外側に向かって延びる円環状の天壁部３３と、天壁部３３の外周縁から下方に向かって延びる小径筒部３４と、小径筒部３４の下端部から下方に向かって延びる大径筒部３５と、を有している。
内筒部３２の内径は、胴部１８の外径と同等である。内筒部３２の下端部の内周面には、全周にわたって連続して延びる突部３２ａが形成されている。突部３２ａは、胴部１８の環状溝１８ａに嵌合している。
【００２３】
小径筒部３４および大径筒部３５は、容器軸Ｏと同軸に配設されている。
図３に示すように、小径筒部３４の外周面には、周方向の一方側から他方側に向かうに従い漸次、下方から上方に向かって延びる案内溝３４ａが形成されている。小径筒部３４の外周面には、案内溝３４ａの下端部から周方向の一方側に向かって延びる第１係止溝３４ｂが形成されている。第１係止溝３４ｂは、小径筒部３４の外周面における下端部に配置されている。小径筒部３４の外周面には、案内溝３４ａの上端部から周方向の他方側に向かって延びる第２係止溝３４ｃが形成されている。
これら案内溝３４ａ、第１係止溝３４ｂ、および第２係止溝３４ｃにより、保持部材４１の後述する係止突起４２ａの案内路３４ｅを構成する。案内路３４ｅは、小径筒部３４の外周面に螺線状に形成されている。
【００２４】
小径筒部３４の外周面には、第２係止溝３４ｃから上方に向かって延びる連結溝３４ｄが形成されている。連結溝３４ｄは、小径筒部３４の外周面における上端部に配置され、上方に開口している。
図３および図５に示すように、連結溝３４ｄの底面には、径方向外側に向かって突出する係止爪３７が形成されている。係止爪３７の上面は、径方向内側から外側に向かうに従い、下方に向けて延びている。
係止爪３７の下面は、下方を向く平坦面になっている。
小径筒部３４の下端部と大径筒部３５の上端部とは、段部３８を介して連結されている。
【００２５】
図１に示すように、小径筒部３４および大径筒部３５それぞれの内周面と、内筒部３２の外周面と、の間には、径方向の隙間Ｓ１が設けられている。
【００２６】
保持部材４１は、容器本体１１を径方向外側から囲う。
保持部材４１は、容器軸Ｏと同軸に配設され、接続部材３１の小径筒部３４に外装された下筒部４２と、下筒部４２の上端部から径方向内側に向かって延びる環板部４３と、環板部４３の内周縁から上方に向かって延びる第１上筒部４４と、環板部４３の上面から上方に向かって延びるとともに、第１上筒部４４を径方向外側から囲繞する第２上筒部４５と、を有している。
【００２７】
下筒部４２の下端部の内周面には、係止突起４２ａが形成されている。係止突起４２ａは、例えば、下筒部４２の内周面から径方向内側に向かって突出する円柱状に形成されている。
係止突起４２ａは、小径筒部３４の案内路３４ｅ内に移動可能に配設されている。これにより、係止突起４２ａは、第１係止溝３４ｂと第２係止溝３４ｃとの間を案内溝３４ａを通して移動可能である。
係止突起４２ａが第１係止溝３４ｂ内に位置するときには、塗布部５１は塗布ボール２２よりも下方に位置する。塗布部５１の下端は、塗布ボール２２の下端よりも下方に位置する。
一方で、図５に示すように、係止突起４２ａが第２係止溝３４ｃ内に配置されているときには、塗布部５１は塗布ボール２２よりも上方に位置する。塗布部５１の下端は、塗布ボール２２の上端よりも下方で、かつ塗布ボール２２の下端よりも上方に位置している。
【００２８】
ただし、係止突起４２ａが第２係止溝３４ｃ内に配置されているときには、係止突起４２ａが係止爪３７の下面に係止されることで、係止突起４２ａは案内路３４ｅから連結溝３４ｄを通して上方に向けて離脱するのが規制されている。
係止突起４２ａを案内路３４ｅに沿って移動させることで、保持部材４１を、接続部材３１および容器本体１１に対して、容器軸Ｏ回りに回転しつつ上方および下方に移動させることができる。
【００２９】
図１に示すように、下筒部４２の外径は、接続部材３１の大径筒部３５の外径と同等である。下筒部４２の下端部が接続部材３１の段部３８に配置されることで、大径筒部３５と下筒部４２とが上下方向にほぼ隙間なく連なっている。
【００３０】
環板部４３の下面は、接続部材３１の天壁部３３の上面に当接する。
第１上筒部４４および第２上筒部４５は、容器軸Ｏと同軸に配設されている。第１上筒部４４は、容器体１６のうち胴部１８の上端部および口部１７の下端部を一体に径方向外側から囲う。第２上筒部４５の上下方向の長さは、第１上筒部４４の上下方向の長さと同等である。
第１上筒部４４および接続部材３１の内筒部３２それぞれの径方向の位置は、互いに同等になっている。第２上筒部４５および接続部材３１の小径筒部３４それぞれの径方向の位置は、互いに同等になっている。第２上筒部４５は、環板部４３の外周縁部よりも径方向内側に配設されている。
【００３１】
図２に示すように、第１上筒部４４の外周面と第２上筒部４５の内周面とは、２枚の仕切り板４７により連結されている。仕切り板４７は、環板部４３の上面から上方に向かって延び、容器軸Ｏを径方向に挟む位置に各別に配置されている。
第１上筒部４４と第２上筒部４５との間の隙間は、２枚の仕切り板４７により、平面視で径方向内側に向けて開口するように湾曲した２つの収容空間Ｓ２に区画されている。
【００３２】
塗布部５１は、化粧用のパフ等であり、例えばウレタンやＮＢＲ（ニトリルゴム）のような、保持部材４１よりも軟らかい材料で形成されている。図１および図２に示すように、塗布容器１は、塗布部５１を２つ備えている。各塗布部５１の下部は、例えば変形させられた状態で、収容空間Ｓ２の全域にわたって配置されている。
塗布部５１は、上部が保持部材４１から上方に突出した状態で保持部材４１に保持されている。塗布部５１は、保持部２１を径方向外側から囲っている。２つの塗布部５１は全体として筒状をなし、保持部２１をほぼ全周にわたって囲っている。
【００３３】
本実施形態では、図１に示すように、容器本体１１および保持部材４１それぞれの上部は、キャップ体５６により一体に覆われている。キャップ体５６は、天壁部５７および周壁部５８を備える有頂筒状に形成されている。
天壁部５７は、容器軸Ｏと同軸に配設され、塗布ボール２２から上方に離間している。この天壁部５７の下面には、下方に向けて突出し、容器軸Ｏと同軸に配設されたリング突条６０が配設されている。リング突条６０の外径は、塗布ボール２２の外径よりも小さい。リング突条６０は、キャップ体５６を容器本体１１に装着したときに、塗布ボール２２を下方に押圧する。このとき、塗布ボール２２は、下方保持部２７に形成された突起部２７ｂに対して押圧される。
【００３４】
天壁部５７の下面には、リング突条６０を径方向外側から囲う連結筒部６１が下方に向けて突設されている。連結筒部６１の内径は、容器本体１１の口部１７の外径、および保持部２１の外径よりも大きく、連結筒部６１の外径は容器体１６の胴部１８の外径と同等である。連結筒部６１の下端部の内周面には、容器体１６の雄ねじに螺合する雌ねじが形成されている。連結筒部６１の雌ねじが容器体１６の雄ねじに螺合することで、キャップ体５６が容器本体１１に装着される。
なお、容器本体１１とキャップ体５６との係合は、ねじによる螺合に限られない。また、キャップ体５６が、容器本体１１ではなく、保持部材４１に対して係合するように構成してもよい。
周壁部５８の外径は、保持部材４１の下筒部４２の外径と同等である。周壁部５８の下端開口縁が環板部４３の外周縁部に配置されることで、保持部材４１の下筒部４２と周壁部５８とが上下方向にほぼ隙間なく連なっている。
【００３５】
塗布容器１の各構成は、前述の接続部材３１も含めて、例えば樹脂等により形成されている。
接続部材３１、保持部材４１、およびキャップ体５６の外径が同等であることで、塗布容器１は全体として円柱状を呈している。
【００３６】
次に、以上のように構成された塗布容器１の作用について説明する。
まず、容器体１６とキャップ体５６との螺合を解除することで、図４に示すように容器本体１１等からキャップ体５６を取り外す。
そして、塗布容器１を、接続部材３１の大径筒部３５若しくは保持部材４１の下筒部４２の外周面を把持して、塗布ボール２２の上端部が下方を向くような姿勢にすると、容器体１６内の内容物が、保持部２１の連通口２７ａを通って保持部２１と塗布ボール２２との隙間に流入する。この状態で、塗布ボール２２の上端部を被塗布部に押し当てつつ塗布ボール２２を回転させることで、保持部２１内の内容物を塗布ボール２２の上端部に至らせ、被塗布部に塗布する。
この際、接続部材３１には前記隙間Ｓ１が設けられているため、この隙間Ｓ１が塗布容器１の外部と容器体１６内との間の断熱層として機能することとなり、例えば、大径筒部３５若しくは下筒部４２の外周面から伝達される体温および外気温等により、容器体１６内の温度が変動するのを抑制することができる。これにより、内容物を塗布する際に、内容物が保持部２１の連通口２７ａから意図せず噴出するのを抑えること等ができる。
【００３７】
次に、接続部材３１に対して保持部材４１を周方向の一方側から他方側に回転させ、保持部材４１の係止突起４２ａを、案内溝３４ａに沿って移動させ、第２係止溝３４ｃに至らせる。この過程において、保持部材４１が容器本体１１および接続部材３１に対して容器軸Ｏ周りに回転しつつ上方に移動し、図５に示すように、塗布部５１が塗布ボール２２よりも上方に位置する。係止突起４２ａが第２係止溝３４ｃ内に配置されていると、接続部材３１に対する保持部材４１の上下方向の位置が固定される。
【００３８】
以上説明したように、本実施形態の塗布容器１によれば、塗布ボール２２の上端部が保持部２１から突出する方向と、塗布部５１が保持部材４１から突出する方向と、がともに上方であるため、従来の塗布容器のように、容器体１６に対してキャップを着脱したり、塗布容器を上下反転させたりすることなく、内容物を被塗布部に塗布するときに比べて持ち手の姿勢をほとんど変えずに、塗布部５１を被塗布部に接触させることができる。そして、被塗布部に塗布部５１を接触させた状態で、塗布容器１を被塗布部に沿って移動させ、被塗布部に塗布した内容物を塗布部５１により被塗布部上で塗り広げる。すなわち、塗布部５１で内容物を被塗布部になじませる。
以上のように、塗布ボール２２により内容物を被塗布部に塗布した後に、塗布容器１の持ち手の姿勢をほとんど変えなくても、塗布部５１により被塗布部上の内容物を塗り広げることが可能になり、優れた操作性を具備させることができる。
【００３９】
また、本実施形態では、塗布部５１が塗布ボール２２よりも上方に位置するため、塗布ボール２２で被塗布部に塗布した内容物を塗布部５１により塗り広げる際に、塗布ボール２２が被塗布部、若しくは被塗布部の周辺の部材等に接触するのを抑えることが可能になり、塗布容器１の操作性をより一層向上させることができるとともに、塗布ボール２２から内容物が意図せず、被塗布部、若しくは被塗布部の周辺の部材等に付着するのを防ぐことができる。
【００４０】
また、本実施形態では、塗布部５１が保持部２１を径方向外側から囲うため、塗布ボール２２で被塗布部に塗布した内容物を塗り広げる際に、被塗布部に対する塗布部５１の周方向の位置を容易に合わせることが可能になり、より一層優れた操作性を塗布容器１に具備させることができる。
なお、容器体１６に収容された内容物を使い切ったときには、容器本体１１の環状溝１８ａと接続部材３１の突部３２ａとの係合を解除して、接続部材３１から容器本体１１を取り外して、内容物の充填された新たな容器本体１１（リフィル）を付け替えることができる。
【００４１】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、接続部材３１の案内路３４ｅは螺線状に形成されているとしたが、案内路は上下方向に沿って延びるように形成されていてもよい。案内路をこのように構成しても、係止突起４２ａを案内路に沿って移動させることで、保持部材４１を、接続部材３１に対して上方および下方に移動させることができるからである。
【００４２】
保持部材４１は容器本体１１に対して上方および下方に移動可能に配設されず、容器本体１１に固定されていてもよい。この場合、塗布容器が接続部材３１を備えず、容器本体１１に保持部材４１が直接固定されてもよい。塗布容器をこのように構成しても、塗布ボール２２により被塗布部に塗布した内容物を、塗布部５１により被塗布部上で塗り広げることができるからである。
塗布部５１は、保持部２１を径方向外側から囲わず、周方向の一部だけに配設されていてもよい。塗布容器をこのように構成しても、塗布ボール２２が被塗布部、若しくは被塗布部の周辺の部材等に接触するのを防ぐとともに、塗布ボール２２から内容物が意図せず、被塗布部、若しくは被塗布部の周辺の部材等に付着するのを防ぐことができるからである。
【符号の説明】
【００４３】
１    塗布容器
１１  容器本体
１６  容器体
２１  保持部
２２  塗布ボール
４１  保持部材
５１  塗布部
【図１】
2018140835.tif 000003
【図２】
2018140835.tif 000004
【図３】
2018140835.tif 000005
【図４】
2018140835.tif 000006
【図５】
2018140835.tif 000007